(57)【要約】【課題】配線カバーから配線を簡単に取り出すことができ、電装品の設置作業の作業性を向上する。【解決手段】キャブボックス１３の後部位置には、キャブボックス１３の内部から外部に配線２１，２２を引き出す左，右の配線挿通孔１９と、各配線挿通孔１９を覆う配線カバー２５，３１とを設ける。配線カバー２５，３１は、配線２１，２２を取り出すために上側位置に形成された上開口２６と、上開口２６よりも下側位置に形成された下開口２７とを備える。配線カバー２５，３１は、略半割碗状に形成された半割碗体であり、配線カバー２５，３１を形成する半割碗体の端縁をキャブボックス１３の後部位置にある後面部１５に取付ける。【選択図】図４
2016098626.tif 000002
【特許請求の範囲】
【請求項１】
前面部、後面部、左側面部、右側面部および天面部により形成され内部に運転室が画成されるキャブボックスを備えた建設機械用キャブにおいて、
前記キャブボックスの後部位置には、前記キャブボックスの内部から外部に配線を引き出す配線挿通孔と、前記配線挿通孔を覆う配線カバーとを設け、
前記配線カバーは、前記配線を取り出すために上側位置に形成された上開口と、前記上開口よりも下側位置に形成された下開口とを備えたことを特徴とする建設機械用キャブ。
【請求項２】
前記配線カバーは、略半割碗状に形成された半割碗体であり、
前記配線カバーを形成する前記半割碗体の端縁は、前記キャブボックスの後部位置または側面部位置に取付けられてなる請求項１に記載の建設機械用キャブ。
【請求項３】
前記上開口は、前記下開口よりも大きく形成されている請求項１または２に記載の建設機械用キャブ。
【請求項４】
前記配線カバーの下面側は、前記下開口に向けて傾斜している請求項１ないし３のいずれか１項に記載の建設機械用キャブ。
【発明の詳細な説明】
【技術分野】
【０００１】
本発明は、例えば油圧ショベル、油圧クレーン等の運転室を形成するために好適に用いられる建設機械用キャブに関する。
【背景技術】
【０００２】
一般に、油圧ショベル等の建設機械では、下部走行体上に旋回可能に上部旋回体が搭載されると共に、上部旋回体にオペレータが搭乗するキャブを設けている。また、キャブは、前面部、後面部、左側面部、右側面部および天面部により形成され内部に運転室が画成されるキャブボックスを備えている（例えば、特許文献１参照）。
【０００３】
特許文献１に記載されたキャブでは、後面部の上部位置にアンテナや配線挿通孔を覆うアンテナカバーを設けている。このアンテナカバーには、例えば、キャブの後部に後方照明灯や回転灯を設置する場合、これらに接続される配線を取り出すための取出口が設けられている。これらの後方照明灯や回転灯を設置しない場合には、アンテナカバーの取出口にキャップを取り付けて閉塞している。
【先行技術文献】
【特許文献】
【０００４】
【特許文献１】特開２０１２−２１９５１６号公報
【発明の概要】
【発明が解決しようとする課題】
【０００５】
ところで、特許文献１に記載されたキャブでは、後方照明灯や回転灯を設置するときに、取出口からキャップを取り外し、配線をキャブ内部から外部に取り出すようになっている。この場合、キャップの取り外し作業が必要になる上に、キャップを破損しないように慎重に作業しなくてはならない。このため、後方照明灯や回転灯の設置作業に時間を要してしまうという問題がある。
【０００６】
本発明は上述した従来技術の問題に鑑みなされたもので、本発明の目的は、配線カバーから配線を簡単に取り出すことができ、電装品の設置作業の作業性を向上できるようにした建設機械用キャブを提供することにある。
【課題を解決するための手段】
【０００７】
上述した課題を解決するために、本発明は、前面部、後面部、左側面部、右側面部および天面部により形成され内部に運転室が画成されるキャブボックスを備えた建設機械用キャブに適用される。
【０００８】
そして、本発明が採用する構成の特徴は、前記キャブボックスの後部位置には、前記キャブボックスの内部から外部に配線を引き出す配線挿通孔と、前記配線挿通孔を覆う配線カバーとを設け、前記配線カバーは、前記配線を取り出すために上側位置に形成された上開口と、前記上開口よりも下側位置に形成された下開口とを備える構成としたことにある。
【発明の効果】
【０００９】
本発明によれば、配線カバーから配線を簡単に取り出すことができ、電装品の設置作業の作業性を向上できる。
【図面の簡単な説明】
【００１０】
【図１】本発明の実施の形態に適用されるキャブを備えた油圧ショベルの左側面図である。
【図２】図１中のキャブを拡大して示す左側面図である。
【図３】図１中のキャブを拡大して示す右側面図である。
【図４】図１中のキャブを拡大して示す後面図である。
【図５】キャブボックスと配線カバーとを図４中の矢示Ｖ−Ｖ方向から拡大して示す断面図である。
【図６】キャブボックスと配線カバーとを図４中の矢示VI−VI方向から拡大して示す断面図である。
【図７】配線カバーを単体で示す平面図である。
【図８】配線カバーをキャブボックスに取り付けられる方向から示す斜視図である。
【図９】後方照明灯を設置しない場合の配線の状態を図３中の矢示IX−IX方向からみた斜視図である。
【図１０】第２の実施の形態の配線カバー等を図５と同様位置からみた断面図である。
【図１１】第３の実施の形態のキャブを図４と同様位置からみた後面図である。
【発明を実施するための形態】
【００１１】
以下、本発明の実施の形態による建設機械用キャブを油圧ショベルに適用した場合を例に挙げ、添付図面を参照しつつ詳細に説明する。
【００１２】
図１ないし図９は、本発明の第１の実施の形態を示している。図１において、建設機械としての油圧ショベル１は、履帯を備えた下部走行体２と、該下部走行体２上に旋回可能に設けられた上部旋回体３とによって構成され、上部旋回体３の前部には土砂の掘削作業等を行う作業装置４が俯仰動可能に設けられている。
【００１３】
また、上部旋回体３は、旋回フレーム５と、該旋回フレーム５の前部左側に搭載された後述のキャブ１１と、該キャブ１１の右側から後側に亘って旋回フレーム５上に設けられエンジン、油圧ポンプ（いずれも図示せず）等を収容する建屋カバー６と、旋回フレーム５の後端部に取付けられたカウンタウエイト７とを備えている。
【００１４】
次に、第１の実施の形態に適用される建設機械用キャブとしての油圧ショベル用のキャブ１１の構成について述べる。
【００１５】
キャブ１１は、旋回フレーム５の前部左側に搭載されている。このキャブ１１は、オペレータが乗車する運転室を画成するもので、内部には運転席、各種レバー類（いずれも図示せず）等が配設されている。そして、キャブ１１は、図２ないし図４に示すように、後述するフロア部材１２、キャブボックス１３、配線カバー２５，３１等によって構成されている。
【００１６】
フロア部材１２は、キャブ１１の床面を構成するもので、例えば前，後方向に長尺な長方形状の板体として形成されている。フロア部材１２の四隅を含む複数箇所は、防振マウント（図示せず）を介して旋回フレーム５に支持されている。フロア部材１２上には、運転席等が設けられている。
【００１７】
キャブボックス１３は、フロア部材１２上に設けられ、キャブ１１の外形を構成している。このキャブボックス１３は、フロア部材１２上にオペレータが乗り込む居住空間を形成するものである。キャブボックス１３は、例えば、パネル材からなる前面部１４、後面部１５、左側面部１６、右側面部１７および天面部１８を用いてボックス状に形成され、その内部は運転室となっている。キャブボックス１３は、その周面をなす前面部１４、後面部１５、左側面部１６、右側面部１７の下部がフロア部材１２の周囲に取付けられている。
【００１８】
前面部１４は、キャブボックス１３の前側に立設され、オペレータに広い前方視界を与えるための前窓（図示せず）を備えている。
【００１９】
後面部１５は、前面部１４の後方に対面して立設されている。後面部１５の上，下方向の中間部から上側には、オペレータに後方視界を提供するための後窓１５Ａが設けられている。また、後面部１５には、天面部１８側となる上側部位１５Ｂに位置して後述の配線カバー２５，３１、回転灯２４等が取り付けられている。さらに、後面部１５の上側部位１５Ｂには、配線カバー２５，３１に覆われる左，右両側に位置して後述の右配線挿通孔１９（図６、図９中に右側のみ図示）が形成されている。
【００２０】
左側面部１６は、前面部１４の左端と後面部１５の左端との間に前，後方向に延びて設けられている。この左側面部１６は、前，後方向の中間部から後側が左窓１６Ａとなり、中間部から前側がキャブ１１にオペレータが乗り降りするための乗降口１６Ｂとなっている。左側面部１６には、乗降口１６Ｂを開閉するためのドア１６Ｃが回動可能に取り付けられている。
【００２１】
右側面部１７は、図３に示すように、前面部１４の右端と後面部１５の右端との間に前，後方向に延びて設けられている。この右側面部１７は、上，下方向の中間部から上側が右窓１７Ａとなっている。
【００２２】
天面部１８は、各面部１４〜１７の上部を覆うように水平方向に延びて設けられている。天面部１８には、後面部１５側となる後側部位１８Ａに位置して後述の後方照明灯２３が取り付けられている。
【００２３】
右配線挿通孔１９は、図６、図９に示すように、キャブボックス１３の後部位置となる後面部１５の上側部位１５Ｂに設けられている。この右配線挿通孔１９は、キャブボックス１３の右側に配置される後方照明灯２３に対応するように、上側部位１５Ｂの右側寄りに開口している。具体的には、右配線挿通孔１９は、金属性パネルからなる後面部１５に円形状の開口として形成されている。右配線挿通孔１９は、キャブボックス１３の内部から外部に後述する右側の配線２１を引き出すためのものである。右配線挿通孔１９には、該右配線挿通孔１９を通して外部の雨水や塵挨等がキャブ１１内に浸入するのを防止するシール部材２０が装着されている。
【００２４】
右側の配線２１は、右配線挿通孔１９に挿通されている。この右側の配線２１は、キャブ１１内に位置する一端が、例えば点灯、消灯を切換えるスイッチを介して電源（いずれも図示せず）に接続されている。右側の配線２１の他端は、右配線挿通孔１９（シール部材２０）を介してキャブ１１内の外部に取り出され、後方照明灯２３に接続されている。一方、後方照明灯２３を設置しない場合には、図９に示すように、右側の配線２１は右配線カバー２５内に巻回された状態で収められ、その先端には、端子部分を保護するための配線キャップ２１Ａが取付けられている。
【００２５】
左側の配線２２は、左配線挿通孔（図示せず）に挿通されている。この左側の配線２２は、右側の配線２１と同様に、キャブ１１内に位置する一端がスイッチを介して電源（いずれも図示せず）に接続されている。左側の配線２２の他端は、左配線挿通孔を介してキャブ１１内の外部に取り出され、回転灯２４に接続されている。一方、回転灯２４を設置しない場合には、右側の配線２１と同様に、左側の配線２２は左配線カバー３１内に収められ、その先端には配線キャップ（図示せず）が取付けられている。
【００２６】
後方照明灯２３は、天面部１８の後側部位１８Ａの右位置に取付ブラケット２３Ａを用いて取付けられている。この後方照明灯２３には、右配線カバー２５から上側に取り出された右側の配線２１が接続されている。これにより、後方照明灯２３は、キャブ１１内のスイッチを操作して点灯させることにより、夜間作業時に油圧ショベル１の後方を照らすことができる。
【００２７】
回転灯２４は、後面部１５の上側部位１５Ｂの左位置に回転灯取付台２４Ａを用いて取付けられている。この回転灯２４には、左配線カバー３１から下側に取り出された左側の配線２２が接続されている。これにより、回転灯２４は、キャブ１１内のスイッチを操作して点灯させることにより、例えば、作業装置４を用いて掘削作業等をするときに、油圧ショベル１の周囲に注意を促すものである。
【００２８】
次に、本発明の特徴部分である右配線カバー２５と左配線カバー３１との構成、作用効果等について述べる。なお、右配線カバー２５と左配線カバー３１とは、左，右で対称形状をなしていることを除いて、同様の形状となっている。そこで、右配線カバー２５について詳細に述べ、左配線カバー３１については右配線カバー２５と対応する符号を適宜に付し、その詳細な説明を省略するものとする。
【００２９】
右配線カバー２５は、図４、図５に示すように、後面部１５の上側部位１５Ｂに設けられた右配線挿通孔１９を覆う右位置に取付けられている。この右配線カバー２５は、前面が大きく開口した略半割碗状の半割碗体をなし、例えば樹脂材料、金属材料等を用いて成形されている。右配線カバー２５は、右配線挿通孔１９を介してキャブ１１内から取り出された右側の配線２１を収納し、後方照明灯２３に向けて導出するものである。
【００３０】
右配線カバー２５は、図７、図８等に示すように、上側に位置する上板部２５Ａと、上板部２５Ａに対面するように下側に配置された下板部２５Ｂと、上板部２５Ａと下板部２５Ｂとの間を接続した内板部２５Ｃ、外板部２５Ｄ、後板部２５Ｅと、上板部２５Ａ、下板部２５Ｂおよび外板部２５Ｄの前端部位に設けられた固着面部２５Ｆとを含んで構成されている。また、右配線カバー２５は、上開口２６、下開口２７、側部開口２８を備えている。
【００３１】
上板部２５Ａは、上開口２６を取囲むＣ字状の枠体として形成され、その中央側に向け上側に傾斜している。これにより、上板部２５Ａは、雨水や塵挨等を積極的に排出することができる。
【００３２】
下板部２５Ｂは、下開口２７を取囲むＣ字状の枠体として形成されている。この下板部２５Ｂは、上板部２５Ａよりも広幅な枠体をなしている。ここで、下板部２５Ｂは、上板部２５Ａとは逆に、略中央に位置する下開口２７に向けて傾斜している。これにより、下板部２５Ｂは、上開口２６から右配線カバー２５の内部に浸入した雨水や塵挨等を傾斜により移動させて下開口２７から外部に排出することができる。
【００３３】
内板部２５Ｃは、右配線カバー２５の内側となる左側位置に、上板部２５Ａと下板部２５Ｂとに亘って設けられている。また、外板部２５Ｄは、内板部２５Ｃと同じように、右配線カバー２５の外側となる右側位置に、上板部２５Ａと下板部２５Ｂとに亘って設けられている。
【００３４】
後板部２５Ｅは、内板部２５Ｃと外板部２５Ｄとの間に位置して、上板部２５Ａと下板部２５Ｂとに亘って設けられている。ここで、周囲を形成する内板部２５Ｃ、外板部２５Ｄ、後板部２５Ｅは、滑らかな円弧状に接続することにより、見栄えを良好にすることができる。
【００３５】
固着面部２５Ｆは、上板部２５Ａ、下板部２５Ｂの外側部分（右側）と外板部２５Ｄとの先端（前端）に亘って設けられている。また、固着面部２５Ｆは、上板部２５Ａ、下板部２５Ｂ、外板部２５Ｄに比べて広幅に形成され、これにより、接着剤、両面テープ等を用いてキャブボックス１３の後面部１５に確実に固着することができる。
【００３６】
上開口２６は、図７に示すように、右配線カバー２５の上側に位置する上板部２５Ａの内周側を大きく切欠くことにより、略半円弧状に形成されている。この上開口２６は、キャブ１１内から右配線挿通孔１９を介して取り出された右側の配線２１を、右配線カバー２５よりも上側に位置する後方照明灯２３に向けて取り出すものである。ここで、上開口２６は、地上から見えないため、外観を気にせずに大きく開口させることができ、右側の配線２１を容易に取り出すことができる。
【００３７】
下開口２７は、上開口２６よりも下側に位置する下板部２５Ｂの内周側を小さく切欠くことにより、略台形状ないし三角形状に形成されている。下開口２７の前，後方向の寸法は、右配線カバー２５の前，後方向の略半分程度に設定され、下開口２７の左，右方向の寸法は、右配線カバー２５の左，右方向の略半分程度に設定されている。これにより、下開口２７は上開口２６よりも小さく形成されている。この下開口２７は、キャブ１１内から右配線挿通孔１９を介して取り出された右側の配線２１を、右配線カバー２５よりも上側に位置する後方照明灯２３に向けて取り出すものである。さらに、下開口２７は、上開口２６から右配線カバー２５内に浸入した雨水や塵挨等を外部に向けて排出する排出口を構成している。ここで、下開口２７は、上開口２６よりも小さく地上から見えにくいため、外観上の見栄えを良好にすることができる。
【００３８】
側部開口２８は、図５に示すように、内板部２５Ｃの前端とキャブボックス１３を構成する後面部１５の上側部位１５Ｂとの間で、上，下方向に貫通する縦スリットとして形成されている。これにより、側部開口２８は、その間隙から右側の配線２１を取り出すことができる上に、大きく開口した上開口２６から取り出した右側の配線２１を、側部開口２８を通して下開口２７側に導くことができ、配線作業を容易に行うことができる。
【００３９】
収納空間３０は、上板部２５Ａと下板部２５Ｂと内板部２５Ｃと外板部２５Ｄと後板部２５Ｅに囲まれた内部に形成されている。この収納空間３０は、図８に示すように、巻回された右側の配線２１を収納することができる。
【００４０】
左配線カバー３１は、後面部１５の上側部位１５Ｂに設けられた左配線挿通孔を覆う左位置に取付けられている。この左配線カバー３１は、右配線カバー２５と同様に、前面が開口した略半割碗状の半割碗体として形成されている。左配線カバー３１は、上開口、下開口、側部開口（いずれも図示せず）を有し、左配線挿通孔を介してキャブ１１内から取り出された左側の配線２２を収納することができる。一方で、左配線カバー３１は、これらの開口から回転灯２４用の左側の配線２２を取り出すことができる。
【００４１】
第１の実施の形態による油圧ショベル１は上述の如き構成を有するもので、作業現場等ではキャブ１１内でオペレータが走行用レバーを傾転操作することにより、例えば下部走行体２を前進、後退させる。そして、土砂の掘削作業等を行うときには、作業用レバーを傾転操作して作業装置４を作動させたり、上部旋回体３を旋回動作させる。この場合に、キャブ１１内の各スイッチを操作することにより、後方照明灯２３や回転灯２４を点灯させることができる。
【００４２】
かくして、第１の実施の形態によれば、キャブボックス１３の後部位置である後面部１５には、キャブボックス１３の内部から外部に配線２１，２２を引き出す各配線挿通孔１９と、各配線挿通孔１９を覆う配線カバー２５，３１とを設けている。また、右配線カバー２５は、配線２１を取り出すために上側位置に形成された上開口２６と、上開口２６よりも下側位置に形成された下開口２７とを備え、左配線カバー３１も同様に、上開口、下開口を備えている。
【００４３】
これにより、配線カバー２５，３１は、各配線挿通孔１９を覆い隠すことができる。この上で、右側の配線２１を右配線カバー２５の上開口２６から取り出すことで、後方照明灯２３に容易に接続することができる。また、左側の配線２２を左配線カバー３１の下開口から取り出すことで、回転灯２４に容易に接続することができる。この結果、後方照明灯２３や回転灯２４に配線２１，２２を取付けるときの作業性を向上でき、後方照明灯２３や回転灯２４の設置作業の時間を短縮することができる。
【００４４】
ここで、特許文献１に記載されたキャブでは、配線を取り出すための取出口に別部材としてのキャップを取り付ける構成としているので、キャップ取付部分に段差や溝が現れ外観を損ねる虞がある。しかし、第１の実施の形態によれば、キャブボックス１３の後面部１５に別部材としてのキャップを設けずに、右配線カバー２５を単一物品として構成している。これにより、後面部１５とキャップとの嵌合部分が無くなり、後面部１５の形状開発の自由度が向上し、外観品質も向上することができる。
【００４５】
また、配線カバーを複数部材から形成した場合、それぞれの部材ごとに開発を行う必要があり、開発期間が長くなるという虞がある。これに対し、第１の実施の形態によれば、配線カバー２５，３１の開発期間を短縮することができる。また、部品点数の削減によって製造コストも低減できる。
【００４６】
また、配線カバー２５は、略半割碗状に形成された半割碗体であり、配線カバー２５を形成する半割碗体の端縁には固着面部２５Ｆを設けているから、接着剤や両面テープを用いて右配線カバー２５をキャブボックス１３の後面部１５に容易に取り付けることができる。
【００４７】
また、右配線カバー２５の上開口２６は下開口２７よりも大きく形成されている。これにより、右配線カバー２５の収納空間３０内に収容した右側の配線２１を右配線カバー２５の上開口２６から容易に取り出すことができる。
【００４８】
さらに、右配線カバー２５の下面側の下板部２５Ｂは下開口２７に向けて傾斜しているので、右配線カバー２５内に浸入した雨水や塵挨等を、下板部２５Ｂにより移動させて下開口２７から外部に排出することができる。これにより、右配線カバー２５内の右側の配線２１を保護することができる。
【００４９】
次に、図１０は本発明の第２の実施の形態を示している。第２の実施の形態の特徴は、配線カバーの側部開口を省略する構成としたことにある。なお、第２の実施の形態では、上述した第１の実施の形態と同一の構成要素に同一の符号を付し、その説明を省略するものとする。
【００５０】
図１０において、第２の実施の形態の右配線カバー４１は、第１の実施の形態の右配線カバー２５とほぼ同様に、上板部４１Ａ、下板部４１Ｂ、内板部４１Ｃ、外板部（図示せず）、後板部４１Ｄ、固着面部４１Ｅ等を含んで構成されている。しかし、右配線カバー４１は、内板部４１Ｃが後面部１５の上側部位１５Ｂに固着されている点で、第１の実施の形態の右配線カバー２５と相違している。
【００５１】
かくして、このように構成された第２の実施の形態においても、前述した第１の実施の形態とほぼ同様の作用効果を得ることができる。この第２の実施の形態によれば、右配線カバー４１は、キャブボックス１３に対する固着面部４１Ｅを拡大することができ、取付強度を高めることができる。
【００５２】
次に、図１１は本発明の第３の実施の形態を示している。第３の実施の形態の特徴は、配線カバーを左側面部と右側面部とにそれぞれ設ける構成としたことにある。なお、第３の実施の形態では、上述した第１の実施の形態と同一の構成要素に同一の符号を付し、その説明を省略するものとする。
【００５３】
図１１において、右配線カバー５１は、右側面部１７の上側後部位置に取付けられている。この右配線カバー５１は、第１の実施の形態による右配線カバー２５と同様に形成されている。また、左配線カバー５２は、左側面部１６の上側後部位置に取付けられ、第１の実施の形態による左配線カバー３１と同様に形成されている。
【００５４】
かくして、このように構成された第３の実施の形態においても、前述した第１の実施の形態とほぼ同様の作用効果を得ることができる。この場合、第３の実施の形態によれば、配線カバー５１，５２は、右側面部１７と左側面部１６とにそれぞれ設けることができ、設計の自由度を高めることができる。
【００５５】
なお、第１の実施の形態では、右配線カバー２５を後面部１５の上側部位１５Ｂの右側に設け、左配線カバー３１を後面部１５の上側部位１５Ｂの左側に設ける構成とした。しかし、本発明はこれに限らず、配線カバーを左，右方向のいずれか一方のみに設ける構成としてもよい。このことは、第２，第３の実施の形態でも同様である。
【００５６】
また、第１の実施の形態では、配線カバー２５，３１を後面部１５に設ける構成とした。しかし、本発明はこれに限らず、一方の配線カバーを後面部に設け、他方の配線カバーを側面部に設ける構成としてもよい。このことは、第２，第３の実施の形態でも同様である。
【００５７】
また、第１の実施の形態では、後方照明灯２３を天面部１８の後側部位１８Ａに設け、回転灯２４を後面部１５の上側部位１５Ｂに設ける構成とした。しかし、本発明はこれに限らず、後方照明灯を後面部に設け回転灯を天面部に設けてもよいし、後方照明灯または回転灯を２つ設ける構成としてもよい。さらに、後方照明灯や回転灯だけでなく、カメラやスピーカ等を設ける構成としてもよい。このことは、第２，第３の実施の形態でも同様である。
【００５８】
また、各実施の形態では、建設機械用キャブとして、クローラ式の油圧ショベル１に用いたキャブ１１を例に挙げて説明した。しかし、本発明はこれに限るものではなく、ホイール式の油圧ショベルに搭載されたキャブに適用してもよい。それ以外にも、油圧クレーン、ホイールローダ、フォークリフト等のキャブにも広く適用することができる。
【符号の説明】
【００５９】
１  油圧ショベル（建設機械）
１１  キャブ
１３  キャブボックス
１４  前面部
１５  後面部
１６  左側面部
１７  右側面部
１８  天面部
１９  右配線挿通孔
２１  右側の配線
２２  左側の配線
２５，４１，５１  右配線カバー
２６  上開口
２７  下開口
３１，５２  左配線カバー
【図１】
2016098626.tif 000003
【図２】
2016098626.tif 000004
【図３】
2016098626.tif 000005
【図４】
2016098626.tif 000006
【図５】
2016098626.tif 000007
【図６】
2016098626.tif 000008
【図７】
2016098626.tif 000009
【図８】
2016098626.tif 000010
【図９】
2016098626.tif 000011
【図１０】
2016098626.tif 000012
【図１１】
2016098626.tif 000013